【手続補正書】
【提出日】平成16年6月7日(2004.6.7)
【手続補正１】
【補正対象書類名】特許請求の範囲
【補正対象項目名】全文
【補正方法】変更
【補正の内容】
【特許請求の範囲】
【請求項１】
拒絶帯域および音声帯域の反射損失特性の要求に合致するように適合した電気通信信号調整装置であって、
第１の電気通信回線とインタフェースを取るように適合した第１端子を有し、前記電気通信回線は第１および第２の成分を有する信号を搬送するのに適合し、
拡張デバイスとインタフェースを取るように適合した第２端子を有し、
前記第１端子と電気的に通信し、かつ前記信号の前記第２の成分に関する反射損失を変更するように適合したインピーダンス修正装置を有する、
電気通信信号調整装置。
【請求項２】
請求項１に記載の信号調整装置であって、更に、前記第１および第２端子と、前記インピーダンス修正装置と電気的に通信する４次楕円信号フィルタ装置を含む信号調整装置。
【請求項３】
請求項２に記載の信号調整装置であって、更に、少なくとも前記信号フィルタ装置と電気的に通信する動的スイッチング装置を有し、該動的スイッチング装置は前記信号フィルタ装置の構成を選択的に変更するように適合した信号調整装置。
【請求項４】
請求項２に記載の信号調整装置であって、前記動的スイッチング装置が、前記信号フィルタ装置内の少なくとも１つの回路要素に磁気的に結合している複数のリード・スイッチを含む信号調整装置。
【請求項５】
請求項３に記載の信号調整装置であって、前記信号フィルタ装置の構成の選択的変更は、前記信号フィルタ装置を流れる電流に応じて少なくとも部分的に決定される信号調整装置。
【請求項６】
請求項３または５に記載の信号調整装置であって、前記信号フィルタ装置の構成の前記選択的変更が、前記フィルタ装置の容量を、前記電話回線と通信するその他の拡張デバイスのそれよりも大きさで大幅に上回る値に増大させる信号調整装置。
【請求項７】
請求項３に記載の信号調整装置であって、更に電圧保護装置を有し、該電圧保護装置は前記電気通信信号調整装置内に存在する過渡的電圧から前記動的スイッチング装置を保護するように適合した信号調整装置。
【請求項８】
請求項７に記載の信号調整装置であって、前記電圧保護装置が、前記動的スイッチング装置の対応するものと電気的に並列に配された複数のツェナー・ダイオードを含む信号調整装置。
【請求項９】
請求項２に記載の信号調整装置であって、前記インピーダンス修正装置が、少なくとも１つのＲＬＣ並列ネットワークを含む信号調整装置。
【請求項１０】
請求項９に記載の信号調整装置であって、前記少なくとも１つのＲＣＬネットワークが予め決められた信号帯域内で正相インピーダンスを生成するように適合した信号調整装置。
【請求項１１】
請求項１０に記載の信号調整装置であって、前記予め決められた信号帯域がほぼ２−３ＫＨｚを含む信号調整装置。
【請求項１２】
請求項２に記載の信号調整装置であって、前記信号フィルタ装置が複数のインダクタを含み、該インダクタの各々はそれぞれに対応するコイルを有する信号調整装置。
【請求項１３】
請求項２に記載の信号調整装置であって、前記信号フィルタ装置が二重ボビンで磁気的にシールドされた複数のインダクタを含む信号調整装置。
【請求項１４】
請求項１に記載の信号調整装置であって、前記回線は更に複数の他の拡張を含み、前記装置が更に、
前記第１および第２の端子と電気的に通信する信号フィルタ装置を有し、
少なくとも前記信号フィルタ装置と電気的に通信する動的スイッチング装置を有し、該動的スイッチング装置は前記フィルタ装置を流れる電流に応じて前記信号フィルタ装置の構成を選択的に変更するように適合し、かつ
前記調整装置が、前記拡張デバイス内に存在するオフ・フック状態により前記電気通信信号の前記第１成分に対する拒絶帯域特性が増大させる結果となるように構成された、
信号調整装置。
【請求項１５】
請求項１４に記載の信号調整装置であって、前記信号フィルタ装置が４次の楕円フィルタを含む信号調整装置。
【請求項１６】
請求項１に記載の信号調整装置であって、更に、入力区分および出力区分を有し、該入力区分および出力区分はそれぞれ前記第１および第２端子に電気的に結合されており、前記入力区分は更に前記インピーダンス修正装置に電気的に結合され、前記出力区分は更に前記インピーダンス修正装置に電気的に結合されている信号調整装置。
【請求項１７】
請求項１６に記載の信号調整装置であって、前記入力区分、インピーダンス修正装置および前記出力区分が、前記第１と第２の端子間にその順番で電気的に配置されている信号調整装置。
【請求項１８】
請求項１６に記載の信号調整装置であって、前記入力区分が少なくとも第１および第２のインダクタを有し、かつ前記出力区分が、それぞれの抵抗と電気的に並列になった第２および第３のインダクタを含む信号調整装置。
【請求項１９】
請求項１６に記載の信号調整装置であって、前記インピーダンス修正装置が、互いに電気的に並列に配された第１および第２のタンク（ＲＬＣ）回路を含む信号調整回路。
【請求項２０】
請求項１６に記載の信号調整装置であって、前記インピーダンス修正回路が更に第１のリード・スイッチを有し、かつ前記出力区分が更に第２のリード・スイッチを有し、前記第１および第２のリード・スイッチの少なくとも１つが、フック状態の変化時にそれに付随の対応するコンデンサを選択的にスイッチの投入および開放するように適合した信号調整装置。
【請求項２１】
請求項２０に記載の信号調整装置であって、更に、前記第１および第２のリード・スイッチの対応するものと電気的に並列に配された少なくとも第１および第２のダイオードを含む信号調整装置。
【請求項２２】
請求項２１に記載の信号調整装置であって、前記少なくとも第１および第２のダイオードの少なくとも１つが逆向きに接続されたツェナー・ダイオード構成を含む信号調整装置。
【請求項２３】
請求項２０に記載の信号調整装置であって、更に、前記リード・スイッチの少なくとも１つと直列に配置された電気抵抗を含む信号調整装置。
【請求項２４】
請求項１６に記載の信号調整装置であって、前記入力および出力区分の少なくとも１つが前記インピーダンス修正装置と協働して、予め決められた周波数範囲で少なくとも３０ＫＨｚ拒絶帯域および正相インピーダンスを生成する信号調整装置。
【請求項２５】
請求項１６に記載の信号調整装置であって、前記入力および出力区分の少なくとも１つが前記インピーダンス修正装置と協働して、少なくとも（ｉ）３０ＫＨｚの拒絶帯域、および（ｉｉ）前記電話回線上の他の拡張デバイスと比べて大幅に増大したオフ・フック容量を生成する信号調整装置。
【請求項２６】
予め決められた拒絶帯域および音声帯域反射損失の両方の特性要求に合致するように自己導入回路を流れるデジタル加入者回線（ＤＳＬ）信号を調整する方法であって、
前記信号の少なくとも一部をフィルタリングし、
前記回路のインピーダンスを選択的に調節して、前記信号の反射損失を変更する、工程
を含む方法。
【請求項２７】
請求項２６に記載の方法であって、更に、前記回路の少なくとも一部の容量を制御する工程を含む方法。
【請求項２８】
請求項２７に記載の方法であって、容量を制御する前記工程が、前記回路の少なくとも一部を流れる電流の大きさに基づいて容量を動的に変化させることを含む方法。
【請求項２９】
請求項２８に記載の方法であって、動的に変化させる前記工程が、前記回路内に配された複数のスイッチ要素を選択的に開閉することを含む方法。
【請求項３０】
請求項２７に記載の方法であって、前記フィルタリング工程が、４次の楕円フィルタを使って前記ＤＳＬ信号をフィルタリングすることを含む方法。
【請求項３１】
請求項２６に記載の方法であって、インピーダンスを調節する前記工程が、予め決められた信号帯域で正相インピーダンスを生成することを含む方法。
【請求項３２】
請求項３１に記載の方法であって、前記生成工程が、２−３ＫＨｚ信号帯域で正相インピーダンスを生成することを含む方法。
【請求項３３】
請求項２６に記載の方法であって、更に
前記フィルタリング工程の一部として、前記回路の少なくとも一部を流れる電流の大きさの少なくとも一部分に基づいて前記回路の容量を動的に変化させる、工程を含む方法。
【請求項３４】
請求項３３に記載の方法であって、インピーダンスを選択的に調節する工程と、容量を動的に変化させる前記工程が協働して、予め決められた周波数範囲で少なくとも３０ＫＨｚの拒絶帯域および正相インピーダンスを生成する方法。
【請求項３５】
請求項３３または３４に記載の方法であって、前記フィルタリング工程が、４次の楕円フィルタを使って前記信号をフィルタリングすることを含む方法。
【請求項３６】
少なくとも第１と第２の信号成分を有する電気通信信号と一緒に使用するための信号スプリッタ装置であって、
複数のインダクタを含み、前記電気通信信号をフィルタリングするように適合したフィルタ装置と、
前記入力フィルタ装置と電気的に通信し、かつ前記信号の前記第２の信号成分に付随する反射損失を制御するように適合し、
前記複数のインダクタの少なくとも第１および第２のものが、前記スプリッタ装置内で、それぞれ前記インピーダンス修正装置の前および後に配されている、
信号スプリッタ装置。
【請求項３７】
請求項３６に記載の信号スプリッタ装置であって、前記フィルタ装置が、更に、前記インダクタと一緒に配置されて前記信号の４次の楕円フィルタリングを行うようになった複数のコンデンサを含む信号スプリッタ装置。
【請求項３８】
請求項３６または３７に記載の信号スプリッタ装置であって、前記インピーダンス修正装置が少なくとも１つのＲＬＣ並列ネットワークを含む信号スプリッタ装置。
【請求項３９】
請求項３７に記載の装置であって、前記複数のインダクタおよびコンデンサが、それぞれ４個のインダクタおよび３個のコンデンサを含み、前記４個のコンデンサのうち２個は、前記スプリッタ装置の回線側と拡張側の端子間に形成された２つの並列な電流経路内に直列に配されており、かつ前記３個のコンデンサは前記２つの電流経路間のブリッジ・コンデンサとして機能する装置。